(57)【特許請求の範囲】
【請求項１】
一連の垂直な荷重支持柱（１０１）と、前記荷重支持柱（１０１）の側面上に当接して垂直位置に配置された、少なくとも１つのプラグパネル（１０５）、又は前記荷重支持柱（１０１）に当接する少なくとも１つの水平梁（１０３）と、前記水平梁（１０３）を横切る方向に延在し、前記水平梁（１０３）に当接する軸方向端部（１０４ａ）を有する少なくとも１つの水平なカバー桁（１０４）と、を備えるプレハブ倉庫（１００）及び類似の建物構造に対する振動減衰装置（１）であって、
前記振動減衰装置（１）は、
直線的な細長い溝またはスリット（３）が形成された、平坦な側面肩部（２ａ）を備える剛体のブラケット（２）であって、前記ブラケットは、前記水平梁（１０３）または前記荷重支持柱（１０１）の本体上で、前記カバー桁（１０４）または前記プラグパネル（１０５）の隣りに固定的にアンカー止めされる構造となっていて、前記側面肩部（２ａ）が前記カバー桁（１０４）の側面に対向するかまたは前記プラグパネル（１０５）の表面に対向し、前記細長い溝またはスリット（３）が前記カバー桁（１０４）の長手軸（Ｌ）または前記プラグパネル（１０５）の長手軸（Ｆ）に対して局所的に平行となるように配置されている、剛体のブラケット（２）と、
前記側面肩部（２ａ）上にある前記細長い溝またはスリット（３）と摺動可能に係合し、かつ前記カバー桁（１０４）の本体または前記プラグパネル（１０５）の本体に固定的にアンカー止めされる構造となっている、可動スライダ（４）と、
前記可動スライダ（４）を前記ブラケット（２）に固定的に接続し、かつ前記可動スライダ（４）が前記ブラケット（２）の前記細長い溝またはスリット（３）に沿って少しでも変位すると弾塑性的に変形するような構造を持った、弾塑性挙動をする変形可能接続部材（６）と、
を備えることを特徴とする、振動減衰装置（１）。
【請求項２】
前記剛体のブラケット（２）はＬ字型であって、互いに直交する第１の平坦部分（２ｂ）と第２の平坦部分（２ａ）とを備え、
前記第１の平坦部分（２ｂ）は前記水平梁（１０３）の本体または前記荷重支持柱（１０１）の本体に当接して配置された後に固定的にアンカー止めされる構造となっており、
前記第２の平坦部分（２ａ）は、前記カバー桁（１０４）の側面または前記プラグパネル（１０５）の表面に面して接触して配置される構造となっていて、前記ブラケット（２）の本体内に、前記第１の平坦部分（２ｂ）の支持面の据付面とは局所的に平行または垂直である基準軸（Ｒ）に対して平行な細長い溝またはスリット（３）を備えて、前記ブラケットの側面肩部（２ａ）を形成することを特徴とする、請求項１に記載の振動減衰装置（１）。
【請求項３】
前記剛体のブラケット（２）は適切な厚さの金属のプレート（７）で形成され、前記金属のプレート（７）がＬ字型に折り曲げられて、局所的に相互に直交する前記第１と第２の平坦部分（２ｂ、２ａ）を持ち、前記プレート（７）の第２の平坦部分（２ａ）は、前記プレート（７）の前記第１の平坦部分（２ｂ）の据付面に対して局所的に平行又は直交の状態で、前記プレート（７）の本体内に延在する直線状の貫通スロット穴（９）を備えることを特徴とする、請求項２に記載の振動減衰装置（１）。
【請求項４】
前記ブラケット（２）の第１の平坦部分（２ｂ）は、貫通アンカーねじ（５）、または鉄筋コンクリート基礎ボルトなどによって、前記水平梁（１０３）の本体上、または前記荷重支持柱（１０１）の本体上に固定的にアンカー止めされる構造であることを特徴とする、請求項２又は請求項３に記載の振動減衰装置（１）。
【請求項５】
前記可動スライダ（４）は、前記カバー桁（１０４）の側面内または前記プラグパネル（１０５）の面上に差し込まれ又は固定されて、前記カバー桁（１０４）の本体または前記プラグパネル（１０５）の本体に動かないように固定される、アンカーピン（１０）のヘッドを備えることを特徴とする、請求項１〜請求項４のいずれか一項に記載の振動減衰装置（１）。
【請求項６】
前記変形可能接続部材（６）は、少なくとも１つの金属材料のＵ字型接続部材（１１）を備え、前記Ｕ字型接続部材（１１）は、前記可動スライダ（４）の本体と一体になった第１の端部と、前記ブラケット（２）の本体と一体になった第２の端部とを有し、前記可動スライダ（４）が少しでも変位すると、前記ブラケット（２）の前記細長いスリットまたは溝（３）に沿って弾塑性的に変形可能であることを特徴とする、請求項１〜請求項５のいずれか一項に記載の振動減衰装置（１）。
【請求項７】
前記変形可能接続部材（６）は、前記可動スライダ（４）の両側に配置された少なくとも２つのＵ字型接続部材（１１）を備え、各Ｕ字型接続部材（１１）は前記可動スライダ（４）の本体と一体になった第１の端部と、前記ブラケット（２）の本体と一体になった第２の端部とを有し、前記可動スライダ（４）が少しでも変位すると、前記ブラケット（２）の前記スリットまたは細長い溝（３）に沿って弾塑性的に変形可能であることを特徴とする、請求項６に記載の振動減衰装置（１）。
【請求項８】
前記変形可能接続部材（６）は、前記可動スライダ（４）の両側に配置され、前記細長い溝またはスリット（３）の基準軸（Ｒ）に沿って互いに整列され、前記可動スライダ（４）が前記ブラケット（２）の細長い溝またはスリット（３）に沿って少しでも変位すると個別または交互に弾塑性的に展伸または曲がる、少なくとも２つのＵ字型接続部材（１１）を備えることを特徴とする、請求項７に記載の振動減衰装置（１）。
【請求項９】
前記変形可能接続部材（６）は、
前記可動スライダ（４）に直接嵌る構造となっている中央ブッシュ（１２）と、
プレート（７）の第２の平坦部分（２ａ）上に、直線状の貫通スロット穴（９）の基準軸（Ｒ）に沿う前記直線状の貫通スロット穴（９）の両側に動かないように固定された、２つの側部アンカープレート（１３）と、
前記中央ブッシュ（１２）の両側に配置され、それぞれが前記中央ブッシュ（１２）の本体を各側部アンカープレート（１３）に強固に接続するような構造となった、少なくとも２つの金属材料のＵ字型接続部材（１１）と、
を備えることを特徴とする、請求項６、請求項７、または請求項８に記載の振動減衰装置（１）。
【請求項１０】
前記Ｕ字型接続部材（１１）はそれぞれ、前記可動スライダ（４）の本体に堅固に接続された第１の端部と、前記ブラケット（２）の本体へ堅固に接続された第２の端部とを有する、Ｃ字型またはＵ字型の曲がった金属棒（１１）により形成されていることを特徴とする、請求項６〜請求項９のいずれか一項に記載の振動減衰装置（１）。
【請求項１１】
一連の垂直な柱（１０１）と、
前記柱（１０１）に当接して配置された少なくとも１つの水平梁（１０３）と、
前記水平梁（１０３）に対して横方向に延在し、かつ前記水平梁（１０３）に当接する軸方向端部（１０４ａ）を有する少なくとも１つの水平カバー桁（１０４）と、
を備える建物（１００）であって、
前記建物（１００）は、前記水平カバー桁（１０４）の前記軸方向端部（１０４ａ）が、請求項１〜請求項１０のいずれか一項に記載の振動減衰装置（１）の少なくとも１つによって前記水平梁（１０３）に接続されていることを特徴とする、建物。
【請求項１２】
前記水平カバー桁（１０４）の前記軸方向端部（１０４ａ）は、前記軸方向端部（１０４ａ）の両端に配置された２つの、請求項１〜請求項１０のいずれか一項に記載の振動減衰装置（１）によって前記水平梁（１０３）に接続されていることを特徴とする、請求項１１に記載の建物。
【請求項１３】
前記柱（１０１）の側面に当接して、垂直位置に配置された、少なくとも１つのプラグパネル（１０５）をさらに備え、かつ前記プラグパネル（１０５）は少なくとも１つの、請求項１〜請求項１０のいずれか一項に記載の振動減衰装置（１）によって前記柱（１０１）に接続されていることを特徴とする、請求項１１または請求項１２に記載の建物。
【発明の詳細な説明】
【技術分野】
【０００１】
本発明はプレハブ倉庫及び類似の建物のための振動減衰装置に関する。
【０００２】
より詳細には、本発明はプレハブの鉄筋コンクリート倉庫のための振動減衰器に関する。以下の開示は一般性を失うことなく上記振動減衰器について明示的に説明する。
【背景技術】
【０００３】
周知のように倉庫は特に大きく、広い空間を有するプレハブの建物であり、通常は工業用または航空機処理用の機械類を収納するように設計されている。あるいは様々な種類の材料、商品、車両の一時保管に利用される。そして、通常は鉄筋コンクリート製の、一連の垂直柱上に水平位置に配置された大きな平屋根を備えていることが多い。
【０００４】
プレハブの鉄筋コンクリート製の倉庫の場合、通常Ｌ字型または逆Ｔ字型の断面をした一連の鉄筋コンクリートの長い水平梁、これは柱の上端に接して互いに横並びに平行に配置されている、と、一連の水平の鉄筋コンクリートカバー桁、これは両端が水平梁上に配置されるよう２つの隣接する水平梁にまたがって互いにある間隔を置いて配置されている、とによって、水平屋根が形成されている。
【０００５】
水平梁とカバー桁の一方を単純に他方の上に載置するという特定のモジュール構造であるために、水平屋根はプレハブ鉄筋コンクリートの水平梁とカバー桁を利用して組み立てることができる。
【０００６】
上記のモジュール構造は、倉庫の建設コストを大幅に抑制可能ではあるが、波動型の地震に対する抵抗はあまり大きくない。この種の地震に遭遇すると、屋根のカバー桁が実際に前後に変位して、及び／又は水平梁上を水平面内に回転して、桁の一端が水平梁の端部を乗り越え／通過して地面に落下するに至り、倉庫内に居る人にあらゆるリスクが及ぶ傾向がある。
【０００７】
この欠点を未然に防止するために、プレハブ鉄筋コンクリート倉庫の製造業者のあるものは、この２つの部材間の関連する運動をすべて防止するような構造となった金属ブラケットにより、カバー桁の両端を様々な水平梁にアンカー止めして動かないようにすることにした。
【０００８】
カバー桁と水平梁との間を固定接続すると、明らかに倉庫上部ははるかに剛直で重くなる。その結果、この構造の地震に応答する動的挙動が大幅に変更され、このことが問題点を含むことになる。実際に地震時には、屋根が剛直で重いほど鉄筋コンクリート柱は予想を超えた大きな機械的応力にさらされ、それによって建物が倒壊する危険性がある。
【発明の概要】
【発明が解決しようとする課題】
【０００９】
本発明の目的は、倉庫の全体構造を過度に強化することなしに、波動型の地震が発生した際にプレハブ鉄筋コンクリート倉庫の屋根のカバー桁の落下を阻止することにある。
【課題を解決するための手段】
【００１０】
上記の目的に従って、本発明によれば、請求項１、及び、必須ではないが好ましくはその任意の従属請求項に規定されるような、プレハブ倉庫及び類似の建物のための振動減衰装置が提供される。
【００１１】
本発明によれば、請求項１１、及び、必須ではないが好ましくはその任意の従属請求項に規定するような建物もまた提供される。
【００１２】
次に本発明を添付の非制限的な実施形態を示す図面を参照して説明する。
【図面の簡単な説明】
【００１３】
【図１】本発明の教示により実現される一連の振動減衰装置を備えたプレハブ鉄筋コンクリート倉庫の屋根の一部を、わかりやすくするために一部を断面で、また一部を省略して表した斜視図である。
【図２】図１の倉庫の詳細を、わかりやすくするために一部を断面で、また一部を省略して表した拡大図である。
【図３】本発明の教示により実現される振動減衰装置の拡大斜視図である。
【図４】図１とは異なる実施形態の振動減衰装置を備えるプレハブ鉄筋コンクリート倉庫の表面の一部を、わかりやすくするために一部を断面で、また一部を省略して表した、代替的な斜視図である。
【発明を実施するための形態】
【００１４】
図１、２、３において符号１は、プレハブ鉄筋コンクリート倉庫１００または類似の建物構造のカバー桁の軸方向端部に取り付けるための特別構造となっている振動減衰装置の全体を表す。
【００１５】
より詳細には、プレハブ倉庫１００は、地面から実質的に垂直方向に立ち上がり、必須ではないが好ましくは鉄筋コンクリートで造られた、一連の荷重支持柱１０１（図１では２つの柱が示されている）と、地面から所定の高さの実質的に水平な位置に、様々な柱１０１の頂部に当接して配置されている、大きくて実質的に平坦な屋根１０２とから、基本的に成り立っている。
【００１６】
次に、水平屋根１０２は、一連の長く直線的な水平梁１０３と、一連の直線的なカバー桁１０４と、から成り立っている。水平梁１０３は、実質的に水平に位置し、相互に横並びで離間し、相互に平行で対を成して整列し、また、荷重支持柱１０１の上端に当接して配置され、地面から所定の高さで２つ以上の隣接する荷重支持柱１０１に跨って延在する。カバー桁１０４は、実質的に水平に位置し、相互に横並びとなって離間し、位置的に実質的に平行で相互に整列し水平梁１０３に対して実質的に直交し、２つの隣接する水平梁１０３を跨いで配置され、カバー桁の２つの軸方向端部１０４ａのそれぞれが各水平梁１０３に当接して配置される。
【００１７】
図１と２を参照すると、特に図示した実施例において水平梁１０３は好ましくはプレハブ鉄筋コンクリート製の直線的断面をしたバーであって、必須ではないが好ましくはＬ字型及び／又は逆Ｔ字型断面をしている。これは側方に出っ張った翼部または横桟１０３ａを備え、これがカバー桁１０４の軸方向端部１０４ａを支持／担持できるような構造となっている。
【００１８】
同様に、カバー桁１０４は好ましくは、プレハブ鉄筋コンクリート製の直線断面のバーとなっており、必須ではないが好ましくはＩ字型またはダブルＴ字型断面をしている。これは２つの軸方向端部１０４ａが、２つの別々の水平梁１０３の翼部または横桟１０３ａ上に置かれるような構造となっている。
【００１９】
図１〜３を参照すると、振動減衰装置１は、好ましくは金属材料でできた剛体のブラケット２を備えている。これは実質的に平坦な側面肩部２ａを持ち、そこには実質的に直線的であって好ましくは貫通する細長い溝またはスリット３も形成されている。これは水平梁１０３、またはより好ましくは水平梁１０３の突き出た翼１０３ａ上に動かないようにアンカー止めされるような構造となっており、このブラケットの側面肩部２ａをカバー桁１０４の側面に直接対向させて軽く触れさせるようにする。このとき細長い溝またはスリット３の基準軸Ｒがカバー桁１０４の長手軸Ｌに対して位置的にほぼ平行である。振動減衰装置１はさらに、ブラケット２の細長い溝またはスリット３に摺動可能に係合し、カバー桁１０４の本体に動かないようにアンカー止めされるような構造となった、可動スライダ４も備えている。
【００２０】
より詳細には、ブラケット２は実質的にＬ字型となっており、互いに実質的に直交する上部分２ａと下部分２ｂとを備えている。下部分２ｂは、水平梁１０３、またはより好ましくは水平梁１０３の突き出た翼１０３ａの上に当接して配置され、好ましくは適切な数の貫通アンカーねじ５または他の種類の鉄筋コンクリート基礎ボルトによって水平梁１０３の本体上に動かないようにアンカー止めされる構造となっている。上部分２ａは、カバー桁１０４の側面に対向して軽く触れるように配置される構造となっていて、実質的に直線的で、好ましくは貫通する細長い溝またはスリット３を備えている。これはブラケット２の本体内で、下部分２ｂの支持面の据付面に対して位置的にほぼ平行である基準軸Ｒに平行になっている。
【００２１】
Ｌ字型ブラケット２の上部分２ａは、こうしてブラケットの側面肩部２ａを形成している。
【００２２】
ブラケット２は、カバー桁１０４の軸方向端部１０４ａに隣接する、水平梁１０３の側翼１０３ａ上に動かないようにアンカー止めされるようになっている。この時、下部分２ｂはカバー桁１０４の側面近くで水平梁１０３上に当接し、上部分２ａはカバー桁１０４の側面に軽く接して、細長い溝またはスリット３が、水平で、カバー桁１０４の長手軸Ｌに実質的に平行に配置される。
【００２３】
可動スライダ４はカバー桁１０４の側面上に直接動かないようにアンカー止めされて、カバー桁１０４と一体化するようになっている。
【００２４】
さらに、振動減衰装置１はまた、可動スライダ４をブラケット２に固定的に接続し、かつ可動スライダ４がブラケット２の細長い溝またはスリット３に沿って少しでも変位すると弾塑性的に変形するような構造を持った、弾塑性挙動をする変形可能接続部材６も備えている。
【００２５】
変形可能部材６が弾塑性的変形をすることによって、水平梁１０３上をブラケット２の細長い溝またはスリット３に平行に動くカバー桁１０４の運動エネルギが散逸されることは明らかである。
【００２６】
図１、２、及び３に示された実施例においては、具体的にブラケット２は好ましくは適切な厚さを有する実質的に矩形の金属プレート７で形成され、これがＬ字型に折り曲げられて局部的に互いにほぼ直交する２つの平坦部分となっている。
【００２７】
金属プレート７の第１の平坦部分は具体的には、水平梁１０３、より好ましくは水平梁１０３の突き出た翼１０３ａ、に当接して配置されるような構造となっており、かつ好ましくは、貫通アンカーねじ５によって貫通係合できる大きさの、一連の貫通穴８を備えている。金属プレート７の第２の平坦部分は長い直線的な貫通スロット穴９を備え、貫通スロット穴９は金属プレート２の第１の平坦部分の据付面に位置的に平行を保ったまま、金属プレート２の本体内に延在している。
【００２８】
金属プレート７の第１の平坦部分はブラケット２の下部分２ｂを形成し、金属プレート７の第２の平坦部分はブラケット２の側面肩部２ａを形成する。そして、直線的な貫通スロット穴９は側面肩部２ａの細長い溝またはスリット３である。
【００２９】
可動スライダ４はほかに、好ましくはアンカーピン１０のヘッドとなっていて、これはカバー桁１０４の側面に動かないように差し込まれるか、及び／又は固定されるようになっていて、カバー桁１０４の本体に動かないように一体化されている。
【００３０】
特に図３を参照すると、弾塑性的挙動をする変形可能接続部材６はほかに、少なくとも１つの金属材料のＵ字型接続部材１１を備えている。これは、可動スライダ４の本体と一体になった第１の端部と、ブラケット２の本体と一体になった第２の端部とを有し、可動スライダ４がブラケット２の長手スリットまたは溝３に沿って少しでも変位すると、弾塑性的に変形可能なようになっている。
【００３１】
具体的に図に示した実施形態においては、弾塑性的挙動をする変形可能接続部材６は、少なくとも２つの金属材料でできたＵ字型接続部材１１を備えている。これは可動スライダ４の両側に配置され、好ましくは細長い溝またはスリット３の基準軸Ｒに沿って互いに整列している。そしていずれも、可動スライダ４の本体に固定接続された第１の端部と、ブラケット２の本体に固定接続された第２の端部とを有し、可動スライダ４がブラケット２の細長い溝またはスリット３に沿って少しでも変位すると、弾塑性的に、個別的かつ交互に展伸または曲がるようになっている。
【００３２】
好ましくは各Ｕ字型の接続部材１１はまた、実質的にＣ字型またはＵ字型に曲がった金属バー１１となっており、これが可動スライダ４の本体に固定接続される第１の端部とブラケット２の本体に固定接続される第２の端部とを持っていて、可動スライダ４がブラケット２の細長い溝またはスリット３に沿って少しでも変位すると、弾塑性的に展伸または曲がるようになっている。
【００３３】
特に図２、３に示す実施例では、変形可能接続部材６は好ましくは、可動スライダ４に、すなわちアンカーピン１０のヘッドに、直接嵌るような構造となっている中央ブッシュ１２と、金属プレート２の上部の平坦部分２ａ上に、直線的な貫通スロット穴の基準軸Ｒに沿って直線的貫通スロット穴９の両側に、好ましくは直線的貫通スロット穴９の２つの端部に接して動かないように固定された、２つの側部アンカープレート１３と、それぞれが中央ブッシュ１２の両側に配置され、中央ブッシュ１２の本体を各側部アンカープレート１３に強固に接続するような構造となった、少なくとも２つのＵ字型金属接続部材１１と、を備えている。
【００３４】
より詳細には図に示す実施例において、変形可能接続部材６は、中央ブッシュ１２の両側に配置された２対のＵ字型金属接続部材１１を備え、その部材の各１対は中央ブッシュ１２本体を各アンカープレート１３に固定的に接続するような構造となっている。
【００３５】
つまり、Ｕ字型部材のそれぞれの対の両方のＵ字型金属接続部材１１は、中央ブッシュ１２の本体に連結された第１の端部と、直近で対向する側部アンカープレート１３に連結された第２の端部を有し、可動スライダ４がブラケット２の細長い溝またはスリット３に沿って少しでも変位すると、Ｕ字型金属接続部材１１のそれぞれの対の２つのＵ字型部材１１が展伸または曲がるようになっている。
【００３６】
必須ではないが好ましくは、Ｕ字型部材１１はまた、異なる形状及び／又は断面であるかまたは異なる金属材料で実現されていて、振動減衰装置１のエネルギを散逸させる能力が調節可能なようになっていてもよい。
【００３７】
プレハブ倉庫１００に振動減衰装置１を取り付けることで、プレハブ倉庫１００の水平屋根１０２を形成するすべて、または一部のカバー桁１０４の２つの軸方向端部１０４ａのそれぞれの両側に、２つの振動減衰装置１が配置されて、カバー桁１０４が常に関連する水平梁１０３と実質的に直交するようにし、その一方でいかなる場合にもカバー桁１０４がその長手軸Ｌに平行に自由に前後方向に変位できるようにすることができる。
【００３８】
波動型地震が生じた場合、各振動減衰装置１により、それが連結されているカバー桁１０４の、その長手軸Ｌに平行な前後方向への変位が可能となる。ただし、カバー桁１０４が変位するためには、振動減衰装置１がない場合に要するエネルギに比べてはるかに大きなエネルギを必要とする。
【００３９】
その結果、プレハブ倉庫１００の屋根１０２は非常に多量の地震エネルギを吸収／散逸させることが可能である。ただし、動的挙動は従来のプレハブ倉庫の屋根の挙動とむしろ同じに維持される。
【００４０】
実際に計算機シミュレーションでは、一般的なプレハブ鉄筋コンクリート倉庫の屋根に振動減衰装置１を設置することで、屋根を支える柱の構造的な完全性にリスクに与えることなしに、屋根の崩壊リスクが顕著に低減可能であることが強調された。
【００４１】
適切な数の振動減衰装置１が装備されたプレハブ鉄筋コンクリート倉庫１００の地震応力への耐力は従って従来型のプレハブ鉄筋コンクリート倉庫に比べて著しく高い。
【００４２】
振動減衰装置１の使用に係わる利点は大きい。
【００４３】
適切な数の振動減衰装置１を一般的なプレハブ鉄筋コンクリート倉庫に設置することにより、屋根の崩壊の危険性が著しく低減され、それと同時に振動型の地震に対する建物の耐震性を向上させることができる。
【００４４】
さらに、振動減衰装置１は製造コストが特に低く、したがって、プレハブ鉄筋コンクリート倉庫の耐震性の向上を安価に行うことができる。
【００４５】
本発明の範囲から乖離することなし、振動減衰装置１に変更及び変形を施すことができることは明らかである。
【００４６】
例えば図４に示すように、プレハブ倉庫１００は、プレハブ倉庫１００の外壁または壁面を形成するために、垂直柱１０１の側面に当接させて垂直位置に１つずつ隣り合わせに配置された、一連のプラグパネル１０５を備えていてもよい。そしてまた、波動型の地震が発生した場合に、プラグパネル１０５の水平変位の振幅を減少させるために、振動減衰装置１がプラグパネル１０５を関連する柱１０１に接続させるような構造となっていてもよい。
【００４７】
より詳細には剛体ブラケット２は、柱１０１の本体上に固定的にアンカー止めされるような構造であって、ブラケットの側面肩部２ａをプラグパネル１０５の表面に直接対向させて軽く触れさせるように配置し、細長い溝またはスリット３の基準軸Ｒを水平、かつ、プラグパネル１０５の水平長手軸Ｆに局所的にほぼ平行であるように配置する。
【００４８】
可動スライダ４は、柱１０１の上に置かれて柱を覆うプラグパネル１０５の面上に直接固定的にアンカー止めされるようになっていて、プラグパネル１０５と一体を成している。
【００４９】
より詳細にはこの実施形態において、ブラケット２の下部分２ｂは柱１０１の側面に当接して配置される構造となっていて、好ましくは適切な本数の貫通アンカーねじ５または他のタイプの鉄筋コンクリート基礎ボルトによって、柱１０１の本体上に固定的にアンカー止めされるようになっている。
【００５０】
ブラケット２の上部分２ａ、すなわち側面肩部２ａは、プラグパネル１０５の側面に対向して軽く触れるように配置される構造となっていて、実質的に直線的で、好ましくは貫通する細長い溝またはスリット３を備えている。これはブラケット２の本体内で、下部分２ｂの支持面の据付面に対して位置的にほぼ垂直である基準軸Ｒに平行になっている。
【００５１】
すなわち、この実施形態においては、ブラケット２は好ましくは適切な厚さを有する金属プレート７であって、Ｌ字型に折り曲げられて、局所的に互いにほぼ直交する２つの平坦部分を持っている。金属プレート７の第１の平坦部分は、具体的には柱１０１の本体上に当接して配置されるような構造となっており、好ましくは一連の貫通穴（図示せず）を備えて、これはちょうど同数の貫通アンカーねじ５または他のタイプのコンクリート基礎ボルトによって貫通して係合される寸法となっている。金属プレート７の第２の平坦部分は代わりに、長い直線的な貫通スロット穴９を備え、これが金属プレート２の本体内に延在して、金属プレート７の第１の平坦部分の据付面に位置的にほぼ垂直となっている。
【図１】
0006432797.tif 000002
【図２】
0006432797.tif 000003
【図３】
0006432797.tif 000004
【図４】
0006432797.tif 000005